(57)【要約】【課題】アクセサリーを取り付けたまま外部装置を制御することができる撮影装置を提供する。【解決手段】被写体を撮影する撮影部と、前記被写体を照明するための照明光または外部装置との通信を行うための信号光を発光する発光部７と、前記発光部を収納する筐体４と、前記筐体において前記発光部の近傍に位置し、アクセサリーを取付け可能な取付部１４と、前記発光部の位置を、前記発光部の少なくとも一部が前記筐体内に収納される第１の位置、前記発光部が外部に向かって移動した第２の位置、及び前記第１の位置と前記第２の位置の間で前記取付部に取付けられた前記アクセサリーと干渉しない第３の位置のいずれかに設定する設定部２０と、前記発光部が前記第１の位置に位置する場合に前記照明光及び前記信号光の発光を禁止し、前記発光部が前記第２の位置に位置する場合に前記照明光及び前記信号光の発光を可能とし、前記発光部が前記第３の位置に位置する場合に前記信号光の発光を可能とする発光制御部とを備える。【選択図】図３
2013003497.tif 000002
【特許請求の範囲】
【請求項１】
被写体を撮影する撮影部と、
前記被写体を照明するための照明光または外部装置との通信を行うための信号光を発光する発光部と、
前記発光部を収納する筐体と、
前記筐体において前記発光部の近傍に位置し、アクセサリーを取付け可能な取付部と、
前記発光部の位置を、前記発光部の少なくとも一部が前記筐体内に収納される第１の位置、前記発光部が外部に向かって移動した第２の位置、及び前記第１の位置と前記第２の位置の間で前記取付部に取付けられた前記アクセサリーと干渉しない第３の位置のいずれかに設定する設定部と、
前記発光部が前記第１の位置に位置する場合に前記照明光及び前記信号光の発光を禁止し、前記発光部が前記第２の位置に位置する場合に前記照明光及び前記信号光の発光を可能とし、前記発光部が前記第３の位置に位置する場合に前記信号光の発光を可能とする発光制御部と
を備えることを特徴とする撮影装置。
【請求項２】
前記第３の位置は、前記取付部に前記アクセサリーを取付けた状態において、前記発光部の前記アクセサリー側表面が前記アクセサリーの前記筐体側表面と接触しない位置であることを特徴とする請求項１記載の撮影装置。
【請求項３】
前記第３の位置は、前記発光部の前記アクセサリー側表面の位置と前記取付部の前記アクセサリーに最も近い表面の位置とが略一致する位置であることを特徴とする請求項２記載の撮影装置。
【請求項４】
前記発光部は、前記照明光または前記信号光を射出する発光用窓を備え、
前記第３の位置は、前記発光用窓の全体が前記筐体の外部に露出する位置であることを特徴とする請求項１〜３の何れか一項に記載の撮影装置。
【請求項５】
前記発光部が前記第３の位置に位置することを検出する検出部を備えることを特徴とする請求項１〜４の何れか一項に記載の撮影装置。
【発明の詳細な説明】
【技術分野】
【０００１】
本発明は、撮影装置に関するものである。
【背景技術】
【０００２】
従来、ポップアップ式の内蔵フラッシュを備え、内蔵フラッシュからのフラッシュ信号光に基づいて外部のフラッシュ装置を制御するカメラが知られている（例えば、特許文献１参照）。
【先行技術文献】
【特許文献】
【０００３】
【特許文献１】特開２０１０−１７５６３６号公報
【発明の概要】
【発明が解決しようとする課題】
【０００４】
しかし、このカメラにおいては、ファインダーの上部にアクセサリーを取り付けた場合、内蔵フラッシュをポップアップさせることができなくなる。このため、内蔵フラッシュを用いて外部のフラッシュ装置を制御するためには、アクセサリーを取り外さなければならないという問題があった。
【０００５】
本発明の目的は、アクセサリーを取り付けたまま外部装置を制御することができる撮影装置を提供することである。
【課題を解決するための手段】
【０００６】
本発明の撮影装置は、被写体を撮影する撮影部と、前記被写体を照明するための照明光または外部装置との通信を行うための信号光を発光する発光部と、前記発光部を収納する筐体と、前記筐体において前記発光部の近傍に位置し、アクセサリーを取付け可能な取付部と、前記発光部の位置を、前記発光部の少なくとも一部が前記筐体内に収納される第１の位置、前記発光部が外部に向かって移動した第２の位置、及び前記第１の位置と前記第２の位置の間で前記取付部に取付けられた前記アクセサリーと干渉しない第３の位置のいずれかに設定する設定部と、前記発光部が前記第１の位置に位置する場合に前記照明光及び前記信号光の発光を禁止し、前記発光部が前記第２の位置に位置する場合に前記照明光及び前記信号光の発光を可能とし、前記発光部が前記第３の位置に位置する場合に前記信号光の発光を可能とする発光制御部とを備えることを特徴とする。
【発明の効果】
【０００７】
本発明の撮影装置によれば、アクセサリーを取り付けたまま外部装置を制御することができる。
【図面の簡単な説明】
【０００８】
【図１】実施の形態に係る電子カメラの正面図及び平面図である。
【図２】実施の形態に係る電子カメラの背面を示す図である。
【図３】実施の形態に係る電子カメラの筐体内部及びフラッシュユニットの可動機構を示す図である。
【図４】実施の形態に係る電子カメラのシステム構成を示すブロック図である。
【図５】実施の形態に係る電子カメラにおいてフラッシュユニットを第２の位置に移動させた状態を示す図である。
【図６】実施の形態に係る電子カメラにおいてフラッシュユニットを第３の位置に移動させた状態を示す図である。
【図７】実施の形態に係る電子カメラにおいてフラッシュユニットを第３の位置に移動させた状態を示す図である。
【発明を実施するための形態】
【０００９】
以下、図面を参照して本発明の実施の形態に係る撮影装置について電子カメラを例に説明する。図１（ａ）は、実施の形態に係る電子カメラの正面図であり、図１（ｂ）は、平面図である。電子カメラ２は、金属やプラスチックからなる筐体４を備え、筐体４の前面には、被写体光を撮像素子４８（図４参照）に導く撮影レンズ５が設けられている。また、筐体４の内部には、被写体を照明する照明光または外部のフラッシュ装置との通信を行う信号光をフラッシュ窓６を介して外部に射出するポップアップ式のフラッシュユニット７が収納されている。また、筐体４の上面には、レリーズ指示を行うレリーズボタン１０、フラッシュユニット７により照明光を発光する照明モードと信号光を発光する通信モードとを切換える切換ボタン１２及び外部フラッシュや録音用マイク等のアクセサリーを取り付けるアクセサリシュー１４が設けられている。
【００１０】
図２は、実施の形態に係る電子カメラ２の背面を示す図である。筐体４の背面には、スルー画像等を表示するＬＣＤ表示部１６、及びポップアップ式のフラッシュユニット７を所定の位置に係止する係止部材１７を操作する操作レバー１８が設けられている。
【００１１】
図３は、実施の形態に係る電子カメラ２の筐体４の内部及びフラッシュユニット７の可動機構を示す図である。フラッシュユニット７の内部には、係止部材１７と係合する係合面２０ａ、係合面２０ｂ、及び筐体４の内側に固定されたポップアップ制限部１９の下面と係合する係合面２０ｃを有する係合部材２０、及びフラッシュユニット７の位置を検出するスイッチ２２を構成するブラシ２４が固定されている。
【００１２】
また、筐体４の内側には、フラッシュユニット７を上下に昇降させるためのガイド軸２６を支持する上端固定部２８及び下端固定部３０が形成され、下端固定部３０の上面には、フラッシュユニット７を常時上向きに付勢するポップアップバネ３２が配置されている。ここで、係合部材２０は、ガイド軸２６の上下方向に沿って摺動可能なようにガイド軸２６に取付けられている。
【００１３】
また、筐体４の内側には、係止部材１７を常時図３に示す右側に付勢する引張バネ３４が設けられている。このため、操作レバー１８が操作されていないときの位置（以下、基準位置という。）にある場合（図２参照）、係止部材１７は、引張バネ３４により右側に付勢され、係合部材２０のいずれか一つの係合面と係合する。
【００１４】
また、筐体４の側面の内側には、スイッチ２２を構成するスイッチ基板３６が固定されている。ここで、フラッシュユニット７の位置は、ブラシ２４の先端部がスイッチ基板３６のどの位置に接触しているかにより検出される。
【００１５】
図４は実施の形態に係る電子カメラ２のシステム構成を示すブロック図である。デジタルカメラ２は、ＣＰＵ４０を備え、ＣＰＵ４０には操作部４２、ＬＣＤ表示部１６、被写体を撮影するための撮像素子４８、撮像素子４８により撮影した画像の画像データを記憶する記憶部５０、画像データを記憶するメモリカード５２、光源であるフラッシュ光源５４の点灯、消灯及びフラッシュ光源５４から射出される光の発光量を調節する光源制御部５６が接続されている。ここで、操作部４２には、レリーズボタン１０及び切換ボタン１２等が含まれている。
【００１６】
次に、フラッシュユニット７の位置に基づく照明光または信号光の発光について説明する。例えば、図１（ａ）に示すように、フラッシュユニット７が筐体４の内部に収納される位置（以下、第１の位置という。）に位置している場合には、ＣＰＵ４０は、ブラシ２４の先端部がＡ位置に接触したことを検知し（図３参照）、フラッシュユニット７による照明光及び信号光の発光を禁止する。このため、フラッシュユニット７が第１の位置に移動した場合、被写体を照明しないで撮影が行われる。
【００１７】
ここで、操作者が操作レバー１８を左側にスライドさせると（図２参照）、係止部材１７の先端部が係合部材２０の係合面２０ａから外れ（図３参照）、ポップアップバネ３２の復元力により、フラッシュユニット７がガイド軸２６に沿って上昇する。従って、図５（ａ）に示すように、フラッシュユニット７が筐体４からポップアップした位置（以下、第２の位置という。）に移動する。なお、フラッシュユニット７が第２の位置に移動した場合、図５（ｂ）に示すように、フラッシュユニット７が筐体４から大きく突出するため、アクセサリシュー１４にアクセサリーを取り付けることはできない。
【００１８】
フラッシュユニット７が第２の位置に移動した場合、ＣＰＵ４０は、ブラシ２４の先端部がＢ位置に接触したことを検知し（図５（ａ）参照）、切換ボタン１２によるモード設定が照明モードと通信モードの何れに設定されているかを判定する。次に、ＣＰＵ４０は、判定したモードによる撮影処理を行う。
【００１９】
照明モードが設定された状態においてレリーズボタン１０が全押しされると、ＣＰＵ４０は、光源制御部５６によりフラッシュ光源５４から射出される照明光の発光量を調整して点灯し、フラッシュ窓６を介して照明光を射出して被写体を照明する。また、ＣＰＵ４０は、この照明光により被写体が照明された状態において被写体の撮影を行う。
【００２０】
一方、通信モードが設定された状態においてレリーズボタン１０が半押しされると、ＣＰＵ４０は、測光及び測距を行い本発光時における外部のフラッシュ装置の照明光の発光量を決定する。次に、レリーズボタン１０が全押しされると、ＣＰＵ４０は、フラッシュユニット７から信号光を発光して発光量に関する情報と本発光の発光タイミングに関する情報を外部のフラッシュ装置に送信する。外部のフラッシュ装置により信号光が受信されると、電子カメラ２による撮影と同期して外部のフラッシュ装置により本発光が行われる。
【００２１】
次に、操作者がフラッシュユニット７を下に押し下げると、図６（ａ）に示すように、フラッシュユニット７が係止部材１７が係合面２０ｂと係合する位置（以下、第３の位置という。）に移動する。なお、フラッシュユニット７を第３の位置に移動した場合、図６（ｂ）に示すように、フラッシュユニット７の上面の位置とアクセサリシュー１４の上面の位置とが略一致し、フラッシュ窓６の全体が筐体４の外部に露出する。
【００２２】
フラッシュユニット７が第３の位置に移動した場合、ＣＰＵ４０は、ブラシ２４の先端部がＣ位置に接触したことを検知し（図６（ａ）参照）、切換ボタン１２によるモード設定が通信モードに設定されているか否かを判定する。
【００２３】
照明モードに設定されている場合、ＣＰＵ４０は、フラッシュユニット７による照明光及び信号光の発光を禁止する。一方、通信モードに設定されている場合、ＣＰＵ４０は、フラッシュユニット７が第２の位置に移動した場合の通信モードと同様の処理を行う。このため、フラッシュユニット７が第３の位置に移動した場合、フラッシュユニット７からの照明光により直接被写体を照明して撮影を行うことはできないが、外部のフラッシュ装置から照明光を発光させて撮影を行うことが可能となる。
【００２４】
この実施の形態に係る電子カメラ２によれば、フラッシュユニット７を第３の位置に移動させることにより、アクセサリシュー１４にアクセサリーを取り付けたまま外部のフラッシュ装置を制御することができる。このため、撮影時にアクセサリーを取り外す手間を省くことができ、シャッターチャンスを逃さず的確に被写体を撮影することができる。
【００２５】
また、フラッシュユニット７を第３の位置に移動した場合、フラッシュ窓６が完全に筐体４の外部に露出するため（図６（ｂ）参照）、信号光が筐体４により遮られることなく、信号光による通信範囲を広げることができる。また、フラッシュユニット７が筐体４から大きく突出しないため、例えば、操作中にフラッシュユニット７が電子カメラ２のストラップに引っ掛るような障害を予防することができる。
【００２６】
また、信号光が筐体４の内部で発光することがないため、信号光が筐体４の隙間から外部に漏光したり、撮影レンズ５の鏡筒の穴等から撮像素子４８に漏光することがない。また、筐体４の内部温度の上昇を防止することができる。また、信号光を発光させるために電子カメラ２を特殊な形状にする必要がなく、デザインの自由度を高くすることができる。
【００２７】
なお、上述の実施の形態において、図７に示すように、アクセサリシュー１４にアクセサリーを取り付けたときのアクセサリーの下面の位置が規格により予め定められている場合、第３の位置は、フラッシュユニット７の上面とアクセサリーの下面とが干渉せず、かつ、フラッシュ窓６が完全に筐体４の外部に露出する位置であればよい。なお、この第３の位置において、フラッシュユニット７の上面とアクセサリーの下面とは、接触していてもよく、接触していなくてもよい。
【００２８】
また、上述の実施の形態においては、フラッシュユニット７から信号光を発光することにより外部のフラッシュ装置を制御する場合を例に説明しているが、信号光により制御する外部装置はフラッシュ装置に限定されない。
【００２９】
また、上述の実施の形態において、アクセサリシュー１４にアクセサリーを取り付けたまま外部装置を制御することができれば、アクセサリシュー１４及びフラッシュユニット７の位置は問わない。例えば、筐体４の右側（左側）側面（図２参照）にアクセサリシュー１４が設けられ、操作レバー１８が操作されるとフラッシュユニット７が筐体４の右（左）方向に向かって移動するようにしてもよい。また、筐体４の下面にアクセサリシュー１４が設けられ、フラッシュユニット７が筐体４の下方向に移動するようにしてもよい。
【００３０】
また、上述の実施の形態において、アクチュエータやギア等を備え、電動で係止部材１７の係止を解除したり、フラッシュユニット７を移動することができるようにしてもよい。また、ＬＣＤ表示部１６においてメニュー画面を表示し、選択されたメニューに対応させてフラッシュユニット７を所定の位置に移動させるようにしてもよい。
【符号の説明】
【００３１】
２…電子カメラ、４…筐体、５…撮影レンズ、６…フラッシュ窓、７…フラッシュユニット、１０…レリーズボタン、１２…切換ボタン、１４…アクセサリシュー、１６…ＬＣＤ表示部、１８…操作レバー、２２…スイッチ、４０…ＣＰＵ、４８…撮像素子、５２…メモリカード、５４…フラッシュ光源、５６…光源制御部
【図１】
2013003497.tif 000003
【図２】
2013003497.tif 000004
【図３】
2013003497.tif 000005
【図４】
2013003497.tif 000006
【図５】
2013003497.tif 000007
【図６】
2013003497.tif 000008
【図７】
2013003497.tif 000009